(57)【要約】【課題】存在の報告がモバイル・ユーザ端末から所定の期間第１のネットワーク９によって受け取られていない場合にモバイル・ユーザ端末２２と前記第１のネットワーク９の間の接続を解放する方法を提供すること。【解決手段】前記所定の期間は、モバイル・ユーザ端末２２がモバイル遠隔通信のために別のタイプのネットワーク６とも通信することができ、かつ前記別のタイプのネットワーク６へのハンドオーバが可能なように前記別のタイプの前記ネットワークによってカバーされる領域内にあると決定されたときに通常よりも短くなるように選択される。【選択図】図１
2004336760.tif 000002
【特許請求の範囲】
【請求項１】
存在の報告がモバイル・ユーザ端末から所定の期間第１のネットワークによって受け取られていない場合にモバイル・ユーザ端末と前記第１のネットワークの間の接続を解放する方法であって、前記モバイル・ユーザ端末がモバイル遠隔通信のために別のタイプのネットワークとも通信することができ、かつ前記別のタイプのネットワークへのハンドオーバが可能なように前記別のタイプの前記ネットワークによってカバーされる領域内にあると決定されたときに前記所定の期間は通常よりも短くなるように選択される方法。
【請求項２】
該より短い所定の期間は、前記モバイル・ユーザ端末が通常よりも頻繁に存在報告を送ることによって選択され、前記第１のネットワークに最後に受け取られた存在報告の受取りから測った所定の期間を短縮させ、その間、前記第１のネットワークがタイミングを再開させるさらなる存在報告を受け取るか、あるいは前記モバイル・ユーザ端末からのさらなる存在報告が前記所定の期間内に受け取られない場合に呼接続解放要求を送る請求項１に記載の方法。
【請求項３】
前記呼接続解放要求が前記第１のネットワークと前記別のタイプのネットワークを接続する前記第１のネットワークのノードに送られ、前記ノードが前記第１のネットワークから前記モバイル・ユーザ端末への呼接続を制御する請求項２に記載の方法。
【請求項４】
前記ノードがサービスＧＰＲＳサポート・ノード（ＳＧＳＮ）であり、かつ前記他のタイプの前記ネットワークが汎用パケット無線システム（ＧＰＲＳ）ネットワークである請求項３に記載の方法。
【請求項５】
前記ネットワークの少なくとも１つが広帯域符号分割多重アクセス（Ｗ−ＣＤＭＡ）ネットワークである請求項１乃至４のいずれか１項に記載の方法。
【請求項６】
前記第１のネットワークがユニバーサル・モバイル遠隔通信システム（ＵＭＴＳ）ネットワークである請求項４に記載の方法。
【請求項７】
第１のネットワークおよび別のタイプのモバイル遠隔通信用のネットワークを備えるモバイル遠隔通信用のシステムであって、前記第１のネットワークが、
存在の報告がモバイル・ユーザ端末から所定の期間前記第１のネットワークによって受け取られていない場合に前記モバイル・ユーザ端末との接続を解放するように動作する解放手段と、
選択手段および決定手段とを備え、前記選択手段は、前記モバイル・ユーザ端末がモバイル遠隔通信のために別のタイプのネットワークとも通信することができ、かつ前記別のタイプのネットワークへのハンドオーバが可能なように前記別のタイプの前記ネットワークによってカバーされる領域内にあると決定手段によって決定されたときに通常よりも短くなるように前記所定の期間を選択するように動作するシステム。
【請求項８】
該より短い所定の期間は、前記モバイル・ユーザ端末が通常よりも頻繁に存在報告を送ることによって選択され、前記選択手段に最後に受け取られた存在報告の受取りから測った所定の期間を短縮させ、その間、前記第１のネットワークがタイミングを再開させるさらなる存在報告を受け取るか、あるいは前記モバイル・ユーザ端末からのさらなる存在報告が前記所定の期間内に受け取られない場合に呼接続解放要求を送る請求項７に記載のシステム。
【請求項９】
前記第１のネットワークのノードが前記第１のネットワークと前記別のタイプの前記ネットワークを接続し、前記第１のネットワークから前記モバイル・ユーザ端末への呼接続を制御し、呼接続解放要求が前記ノードに送られる請求項７または８に記載のシステム。
【請求項１０】
前記ノードがサービスＧＰＲＳサポート・ノード（「ＳＧＳＮ」）であり、前記他のタイプのネットワークが汎用パケット無線システム（「ＧＰＲＳ」）ネットワークである請求項９に記載のシステム。
【発明の詳細な説明】
【技術分野】
【０００１】
本発明は遠隔通信に関し、より詳細には、ワイヤレス通信に関する。
【背景技術】
【０００２】
テレコムオペレータはＵＭＴＳネットワークからＧＰＲＳネットワークへのモバイル・ユーザ端末のシステム間ハンドオーバをモバイル・ユーザ端末の制御下で行わせる能力を考慮する。モバイル・ユーザ端末は、セル再選択のためにモバイル・ユーザにシステム情報を与えることによってＵＴＲＡＮネットワークの助けを借りてセル再選択を行う。
【０００３】
たとえばモバイル・ユーザ端末がフォワード・アクセス・チャネル（「ＦＡＣＨ」）チャネル、あるいはセルのページング・チャネル（「ＰＣＨ」）、あるいはＵＴＲＡＮ登録領域（「ＵＲＡ」）のページング・チャネルを聴取しているとき、モバイル・ユーザ端末はＣＥＬＬ＿ＦＡＣＨ、ＣＥＬＬ＿ＰＣＨまたはＵＲＡ＿ＰＣＨ状態のいずれか１つであるが、受け取ったシステム情報、たとえばＧＰＲＳネットワークの信号がどのくらいより強いかに基づいて、モバイル・ユーザ端末はＧＰＲＳネットワークへのセル再選択をする。モバイル・ユーザ端末はＧＰＲＳ標準に従ってＧＰＲＳネットワークへの接続の確立を開始する。ＧＰＲＳセルが選択され、ＧＰＲＳネットワーク接続確立手順へモバイル・ユーザ端末が開始されたとき、モバイル・ユーザ端末はすべての専用ＵＴＲＡＮ固有リソースを解放するはずである。したがって、ＵＴＲＡＮネットワークはいわゆるＩＵ接続、すなわち無線ネットワーク・コントローラ（「ＲＮＣ」）とサービスＧＰＲＳサポート・ノード（「ＳＧＳＮ」）の間の接続を即座に要求し、ＵＴＲＡＮネットワークに記憶されたモバイル・ユーザ端末情報（内容）を削除し、モバイル・ユーザ端末専用のリソースを解放する。それに失敗すると貴重なＵＴＲＡＮリソースが不必要に過剰使用されることがある。
【発明の開示】
【発明が解決しようとする課題】
【０００４】
１つの手法は、ＵＴＲＡＮリソースが解放される前に固定のタイムアウト期間が経過することである。モバイル・ユーザ端末が接続のためにＧＰＲＳセルを選択し、したがってＧＰＲＳネットワーク接続に対してモバイル・ユーザ端末を開始したときにＵＴＲＡＮリソースの深刻な無駄がこのようにして起こるが、同時にＵＴＲＡＮネットワークは依然として必要以上にはるかに長い時間モバイル・ユーザ端末専用のリソースを維持する。ＵＴＲＡＮネットワークの容量は必要以上に長く使用されないＵＴＲＡＮリソースのこの保持によって減少する。これは特に、モバイル・ユーザ端末のＧＰＲＳ信号接続が確立された後で（コアネットワーク（「ＣＮ」）がモバイル・ユーザ端末の前のＵＭＴＳ信号接続を即座に削除することができないために）ＵＴＭＳ信号接続解放要求がＵＴＲＡＮネットワークによって開始される必要がある場合である。
【課題を解決するための手段】
【０００５】
本発明は、存在の報告がモバイル・ユーザ端末から所定の期間第１のネットワークによって受け取られていない場合にモバイル・ユーザ端末と第１のネットワークの間の接続を解放する方法であって、所定の期間は、モバイル・ユーザ端末がモバイル遠隔通信のために別のタイプのネットワークとも通信することができ、かつ前記別のタイプのネットワークへのハンドオーバが可能なように前記別のタイプの前記ネットワークによってカバーされる領域内にあると決定されたときに通常よりも短くなるように選択される方法を提供する。有利な実施形態は、システム容量を損なわずに効率的なシステム間ハンドオーバ能力をもつそのＵＭＴＳネットワークを提供する。モバイル・ユーザ端末がＵＭＴＳネットワークから別のタイプのネットワーク（たとえばＧＰＲＳ）へのハンドオーバを完了したときにＵＴＲＡＮネットワークから二重モード（たとえばＵＭＴＳ／ＧＰＲＳ）モバイル・ユーザ端末専用のリソースの解放をＵＴＲＡＮネットワークが要求するための時間ベースの解決策が提供される。タイマは、モバイル・ユーザ端末がＵＭＴＳからＧＰＲＳへのハンドオーバ（すなわちＲＡＴ間能力）を行うことができるどうか、およびモバイル・ユーザ端末がＵＭＴＳ−ＧＰＲＳハンドオーバ領域内にあるかどうかに基づいて変更される。
【０００６】
有利な実施形態では、一時的にサービス領域外にある間モバイル・ユーザ端末のＵＭＴＳ接続を生かしておくためのモニタリング・タイマは、したがって、個別のモバイル・ユーザ端末の状況に適合される。特に、ＵＴＲＡＮネットワーク内で使用されるモバイル・ユーザ端末の信号モニタリング・タイマ（保持タイマ）は、モバイル・ユーザ端末の信号接続が過度に長い時間維持されないようにリセットされる。
【０００７】
モバイル・ユーザ端末の無線アクセス間技術（ＲＡＴ間）能力、およびそれらがシステム間ハンドオーバ領域にあるか否かにかかわらず、すべてのモバイル・ユーザ端末に対して固定のタイマを使用する知られている手法と比較すると、かなりのＵＴＲＡＮリソースの節約がもたらされる。
【０００８】
有利な実施形態はＵＭＴＳ−ＧＰＲＳハンドオーバのものである。他の実施形態はセル再選択によるＵＭＴＳからのシステム間ハンドオーバに関する。ＵＭＴＳネットワークは第３世代パートナープロジェクト（３ＧＰＰ）標準に準拠している。
【０００９】
有利には、より短い所定の期間は、モバイル・ユーザ端末が通常よりも頻繁に存在報告を送ることによって選択され、第１のネットワークに最後に受け取られた存在報告の受取りから測った所定の期間を短縮させ、その間、第１のネットワークがタイミングを再開させるさらなる存在報告を受け取るか、あるいはモバイル・ユーザ端末からのさらなる存在報告が所定の期間内に受け取られない場合に呼接続解放要求を送る。
【００１０】
有利には、呼接続解放要求は第１のネットワークと前記別のタイプのネットワークを接続する第１のネットワークのノードに送られ、前記ノードは第１のネットワークからモバイル・ユーザ端末への呼接続を制御する。
【００１１】
有利には、ネットワークの少なくとも１つが広帯域符号分割多重アクセス（Ｗ−ＣＤＭＡ）ネットワークである。有利には、第１のネットワークはユニバーサル・モバイル遠隔通信システム（ＵＭＴＳ）ネットワークである。
【００１２】
有利には、ノードはサービスＧＰＲＳサポート・ノードである。
【００１３】
有利には、前記別のタイプのネットワークは汎用パケット無線システム（ＧＰＲＳ）ネットワークである。
【００１４】
本発明はまた、第１のネットワークおよび別のタイプのモバイル遠隔通信用のネットワークを備えるモバイル遠隔通信用のネットワークであって、第１のネットワークは、存在の報告がモバイル・ユーザ端末から所定の期間第１のネットワークによって受け取られていない場合にモバイル・ユーザ端末との接続を解放するように動作する解放手段を備え、第１のネットワークは、選択手段および決定手段を備え、選択手段は、モバイル・ユーザ端末がモバイル遠隔通信のために別のタイプのネットワークとも通信することができ、かつ前記別のタイプのネットワークへのハンドオーバが可能なように前記別のタイプの前記ネットワークによってカバーされる領域内にあると決定手段によって決定されたときに前記所定の期間を、通常よりも短くなるように前記所定の期間を選択するネットワークを提供する。
【００１５】
有利には、使用時、より短い所定の期間は、モバイル・ユーザ端末が通常よりも頻繁に存在報告を送ることによって選択され、選択手段に最後に受け取られた存在報告の受取りから測った所定の期間を短縮させ、その間、第１のネットワークがタイミングを再開させるさらなる存在報告を受け取るか、あるいはモバイル・ユーザ端末からのさらなる存在報告が所定の期間内に受け取られない場合に呼接続解放要求を送る。
【００１６】
有利には、第１のネットワークのノードが第１のネットワークと前記別のタイプのネットワークを接続し、第１のネットワークからモバイル・ユーザ端末への呼接続を制御し、使用時、呼接続解放要求がノードに送られる。
【００１７】
有利には、少なくとも１つのネットワークは広帯域符号分割多重アクセス（「Ｗ−ＣＤＭＡ」）ネットワークである。有利には、第１のネットワークはユニバーサル・モバイル遠隔通信システム（「ＵＭＴＳ」）ネットワークである。
【００１８】
有利には、ノードはサービスＧＰＲＳサポート・ノード（「ＳＧＳＮ」）である。
有利には、前記別のタイプのネットワークは汎用パケット無線システム（「ＧＰＲＳ」）ネットワークである。
【００１９】
本発明はまた、存在の報告がモバイル・ユーザ端末から所定の期間第１のネットワークによって受け取られていない場合にモバイル・ユーザ端末との接続を解放するように動作する解放手段を備えるモバイル遠隔通信用のユニバーサル・モバイル遠隔通信システム（「ＵＭＴＳ」）ネットワークであって、ネットワークは選択手段および決定手段を備え、選択手段は、モバイル・ユーザ端末がモバイル遠隔通信のために別のタイプのネットワークとも通信することができ、かつ前記別のタイプのネットワークへのハンドオーバが可能なように前記別のタイプの前記ネットワークによってカバーされる領域内にあると決定手段によって決定されたときに通常よりも短くなるように前記所定の期間を選択するように動作するネットワークを提供する。
【００２０】
有利には、使用時、より短い所定の期間は、モバイル・ユーザ端末が通常よりも頻繁に存在報告を送ることによって選択され、選択手段に最後に受け取られた存在報告の受取りから測った所定の期間を短縮させ、その間、ネットワークがタイミングを再開させるさらなる存在報告を受け取るか、あるいはモバイル・ユーザ端末からのさらなる存在報告が所定の期間内に受け取られない場合に呼接続解放要求を送る。
【００２１】
本発明は、添付の図面を参照して、例示的な実施形態の以下の説明を読むことからよりよく理解できよう。
【発明を実施するための最良の形態】
【００２２】
実施形態は、第１のネットワークおよび別のタイプのモバイル遠隔通信用のネットワークを備えるモバイル遠隔通信用のネットワークであって、第１のネットワークは、存在の報告がモバイル・ユーザ端末から所定の期間第１のネットワークによって受け取られていない場合にモバイル・ユーザ端末との接続を解放するように動作する解放手段を備えるネットワークに関する。
【００２３】
実施形態はまた、存在の報告がモバイル・ユーザ端末から所定の期間ネットワークによって受け取られていない場合にモバイル・ユーザ端末との接続を解放するように動作する解放手段を備えるモバイル遠隔通信用ネットワーク用のユニバーサル遠隔通信システム（「ＵＭＴＳ」）ネットワークに関する。
【００２４】
図１に示すように、有利なネットワーク７はＵＭＴＳネットワーク９およびＧＰＲＳネットワーク６からなる。特にその主要部分がＵＭＴＳ地上無線アクセス・ネットワーク（「ＵＴＲＡＮ」）１１と呼ばれるＵＭＴＳネットワーク９について考えてみると、ＵＭＴＳ技術において無線ネットワーク・コントローラ（ＲＮＣ）と呼ばれる多数の基地局コントローラがあり、各々はＩｕｂインターフェース１２と呼ばれるそれぞれのインターフェースを介していくつかのそれぞれの基地局を制御する。図１では、ただ１つの無線ネットワーク・コントローラ８および２つのＵＭＴＳ基地局１０（ＵＭＴＳ用語のノードＢ）が簡単のために示されている。各ＵＭＴＳ基地局１０は一般にＵＭＴＳ基地局がアジマスに対して互いに１２０度傾いている３方向アンテナを有するので、３つのセル（たとえばセクタとも呼ばれる無線カバレージ領域、図示せず）を有する。無線ネットワーク・コントローラ（「ＲＮＣ」）はそれぞれいくつかのＵＭＴＳ基地局、したがっていくつかのセルを制御する。
【００２５】
ＧＰＲＳネットワーク６について考えてみると、各々がＡ’インターフェース１４と呼ばれるそれぞれのインターフェースを介していくつかのそれぞれの基地局を制御する多数の基地局コントローラ（「ＢＳＣ」）がある。図１では、ただ１つのＧＰＲＳ基地局コントローラ１６および２つのＧＰＲＳ基地局１８（ＧＰＲＳ用語でベース・トランシーバ・ステーション（「ＢＴＳ」）とも呼ばれる）が簡単のために示されている。ＧＰＲＳベース・ステーション・コントローラ（「ＢＳＣ」）はそれぞれいくつかのＧＰＲＳベース・ステーションを制御する。
【００２６】
ＵＴＲＡＮネットワーク１１はＩｕインターフェースと呼ばれるインターフェース２１を介した（ＵＭＴＳネットワーク９の一部である）サービスＧＰＲＳサポート・ノード（「ＳＧＳＮ」）２０に接続されている。基地局コントローラはサービスＧＰＲＳサポート・ノード（ＳＧＳＮ）２０にも接続されている。
【００２７】
ＵＭＴＳネットワーク９は、モバイル・ユーザ端末２０（ユーザ機器に対して短いしばしばＵＥで示される）を他のネットワークに、すなわちモバイル・ユーザ端末（「ＵＥ」）が二重モード対応（たとえばＵＭＴＳネットワークとＧＳＭ／ＧＰＲＳネットワークの両方で使用可能）ならばＧＰＲＳネットワーク６にハンドオーバすることができることが必要である。
【００２８】
ＵＭＴＳネットワーク９からＧＰＲＳネットワーク６へのシステム間ハンドオーバは、セル再選択に必要な情報を提供する際にＵＴＲＡＮネットワーク１１からの助けを借りて、モバイル・ユーザ端末２２の制御下の動作によって、すなわちセル再選択によって行われる。
【００２９】
ＣＥＬＬ＿ＦＡＣＨ、ＣＥＬＬ＿ＰＣＨ、あるいはＵＲＡ＿ＰＣＨ状態にある間、すなわちモバイル・ユーザ端末２２がセルのＣＥＬＬ＿ＦＡＣＨチャネルあるいはページング・チャネル、またはＵＴＲＡＮ１１登録領域（ＵＲＡ）のページング・チャネルを聴取するとき、受け取ったシステム情報、たとえば他のシステムの信号がどのくらいより強いかに基づいて、モバイル・ユーザ端末２２はＧＰＲＳネットワーク６へのセル再選択を行う。モバイル・ユーザ端末２２はＧＰＲＳ標準に従ってＧＰＲＳネットワーク６への接続の確立を開始する。ＧＰＲＳセルが選択され、ＧＰＲＳ接続確立手順へのモバイル・ユーザ端末２２が開始されたとき、モバイル・ユーザ端末２２はすべての専用ＵＴＲＡＮ固有リソースを解放するはずである。したがって、ＵＴＲＡＮネットワーク１１はＩＵ接続、たとえば無線ネットワーク・コントローラ（「ＲＮＣ」）８とＩＵインターフェース２１上のサービスＧＰＲＳサポート・ノード（「ＳＧＳＮ」）２０の間の接続を解放するよう即座に要求し、ＵＴＲＡＮネットワーク１１に記憶されたモバイル・ユーザ端末の情報（内容情報とも呼ばれる）を削除し、さらにモバイル・ユーザ端末２２専用のすべてのリソースを解放する。
【００３０】
タイマの変更
図２に示すように、モバイル・ユーザ端末がＵＭＴＳから他のシステム（たとえばＧＰＲＳ）へのシステム間ハンドオーバを完了したときにＵＴＲＡＮネットワーク１１からのハンドオーバで二重モード（たとえばＵＭＴＳ／ＧＰＲＳ）モバイル・ユーザ端末２２専用のリソースの解放を要求するためにＵＴＲＡＮネットワーク１１用にタイマベース解決策が開発されている。この解決策は、モバイル・ユーザ端末の無線アクセス間技術（ＲＡＴ間）能力（すなわちモバイル・ユーザ端末２２が二重モード対応であること）およびモバイル・ユーザ端末２２が２つのタイプのネットワーク４、６（たとえばＧＰＲＳ、ＵＭＴＳ）間のハンドオーバ領域にあることに基づいてタイマの持続期間を変更することに基づく。
【００３１】
図３に示すように、無線ネットワーク・コントローラ（ＲＮＣ）８は、存在の報告がモバイル・ユーザ端末から所定の期間ネットワークによって受け取られていないとタイマ２５によって決定されたときにモバイル・ユーザ端末２２との接続を解放するように動作する解放機能２４を含み、無線ネットワーク・コントローラ（「ＲＮＣ」）８は選択器機能２８および決定機能２６をも含む。選択器機能２８は、モバイル・ユーザ端末２２がモバイル遠隔通信のために別のタイプのネットワーク６とも通信することができ、かつ前記別のタイプのネットワーク６へのハンドオーバが可能なように前記別のタイプのネットワーク６によってカバーされる領域内にあると決定機能２６によって決定されたときに所定の期間を通常よりも短くなるように選択するように動作する。
【００３２】
この手法はＣＥＬＬ＿ＦＡＣＨ、ＵＲＡ＿ＰＣＨ、またはＣＥＬＬ＿ＰＣＨ状態のいずれかでパケット・スイッチ（「ＰＳ」）サービスに接続されたモバイル・ユーザ端末２２に適しており、これらすべての状態で、セル再選択が可能である。
【００３３】
より詳細には、図２に示すように
工程１：ＵＴＲＡＮネットワーク１１は、すべてのセルおよびＵＴＲＡＮ登録領域を含むカバレージ領域を全ＵＴＲＡＮネットワーク上で３ＧＰＰ標準で指定されているモバイル・ユーザ端末タイマに対するモバイル・ユーザ端末デフォルト値に放送する。これは、ＵＴＲＡＮネットワーク１１が接続の維持を望んでいることをモバイル・ユーザ端末がどれくらい頻繁にＵＴＲＡＮネットワーク１１に知らせるべきかを示す際に使用されるＴ３０５＝３０分、Ｔ３１６＝３０秒、およびＴ３１７＝１８０秒と示されたタイマを含む。この工程１は、図２で１と示されている（以降の工程についても同様である）。
【００３４】
工程２：ＵＴＲＡＮネットワーク１１は、モバイル・ユーザ端末の初期接続セットアップ要求（無線アクセス間技術（ＲＡＴ間）能力からモバイル・ユーザ端末の無線アクセス間技術（ＲＡＴ間）能力情報を取得し、モバイル・ユーザ端末は異なる無線アクセス間技術、たとえばＵＭＴＳ、ＧＭＳ／ＧＰＲＳによってネットワークにアクセスすることができる。ＵＴＲＡＮネットワーク１１は若干前に要求を受け取り、参照目的で要求を記憶した。
【００３５】
工程３：ＵＴＲＡＮネットワーク１１は、基地局（ノードＢ）の位置を記憶しているＯＡＭ（操作、管理、および保守機能）データベースから可能なハンドオーバのＵＭＴＳ−ＧＰＲＳ領域にあるモバイル・ユーザ端末２２の知識を取得する。データベースは、ＧＰＲＳネットワークに隣接しているＵＭＴＳセルおよび／またはＵＴＲＡＮ登録領域の知識を含む。
【００３６】
工程４：ＵＴＲＡＮネットワーク１１は、可能なハンドオーバの領域にあるモバイル・ユーザ端末２２がＵＭＴＳからＧＰＲＳへのハンドオーバを行うことができるかどうかを、たとえば信号強度測定を行うことによってチェックする。
【００３７】
イエスの場合：
工程４．１：モバイルユーザ端末２２の周期的タイマは、モバイル・ユーザ端末２２が通常よりも短い周期でＵＭＴＳでのその存在をＵＴＲＡＮネットワーク１１に報告するように再構成される。この再構成は適切な無線リソース制御（ＲＲＣ）がモバイル・ユーザ端末２２にメッセージすることによって行われる。
工程４．２：ＵＴＲＡＮネットワーク１１は、４．１のリセットされたモバイル・ユーザ端末タイマに従って（そのモバイル・ユーザ端末２２用の）ＵＭＴＳモニタリング・タイマ２５のタイミング期間を調節する。モニタリング・タイマの経過時（すなわちモバイル・ユーザ端末２２が所定の刻時期間その存在を報告するのに失敗した場合）、ＵＴＲＡＮネットワーク１１はモバイル・ユーザ端末のＵＭＴＳ信号接続を解放するようサービスＧＰＲＳサポート・ノード（ＳＧＳＮ）２０に要求する。
【００３８】
工程５：ＵＴＲＡＮネットワーク１１は、変更されたタイマ２５を使用して、サービスＧＰＲＳサポート・ノード（ＳＧＳＮ）に対して変更された刻時期間の経過時に信号接続解放要求をトリガする。結果として、サービスＧＰＲＳサポート・ノード（ＳＧＳＮ）２０は、それ自体とモバイル・ユーザ端末２２の間の接続を（ＵＴＲＡＮネットワーク１１を介して）絶つ、すなわちＧＰＲＳにハンドオーバしたモバイル・ユーザ端末２２に対するすべての専用リソースを解放する。
【００３９】
ノーの場合：
工程４．３：モバイル・ユーザ端末がハンドオーバを行うことができない場合、ＵＴＲＡＮネットワーク１１は、モバイル・ユーザ端末２２に対して早期解放要求を送らない（すなわち上記の機能４．１および４．２は実行されない）。そうではなく、ＵＴＲＡＮネットワーク１１は、モバイル・ユーザ端末が依然存在している刻時期間に報告するのに失敗したかどうかを決定するときに通常の（初期に設定された）タイミング値を使用する。そうである場合、信号接続解放要求がサービスＧＰＲＳサポート・ノード（ＳＧＳＮ）に送られ、次いでサービスＧＰＲＳサポート・ノード（ＳＧＳＮ）がそれ自体とモバイル・ユーザ端末２２の間の接続を（ＵＴＲＡＮネットワーク１１を介して）絶つ。他の実施形態では、ＧＰＲＳネットワーク６へのハンドオーバではなく、ハンドオーバは別のタイプの広帯域符号分割多重アクセス（Ｗ−ＣＤＭＡ）ネットワークなど、別のタイプのモバイル遠隔通信ネットワークへのハンドオーバとすることができる。
【００４０】
略語
ＢＳＣ  基地局コントローラ
ＢＴＳ  ベース・トランシーバ・ステーション
Ｃｅｌｌ＿ＦＡＣＨ  セル・フォワード・アクセス・チャネル
Ｃｅｌｌ＿ＰＣＨ  セル・ページング・チャネル
ＣＮ  コアネットワーク
ＧＰＲＳ  汎用パケット無線システム
ノードＢ  基地局（ＵＭＴＳ技術）
ＲＡＴ  無線アクセス技術
ＲＮＣ  無線ネットワーク・コントローラ
ＳＧＳＮ  信号ＧＰＲＳサポート・ノード
ＵＥ  ユーザ機器、すなわちモバイル・ユーザ端末
ＵＭＴＳ  ユニバーサル・モバイル遠隔通信システム
ＵＲＡ  ＵＴＲＡＮ登録領域
ＵＲＡ＿ＰＣＨ  ＵＴＲＡＮ登録領域ページング・チャネル
ＵＴＲＡＮ  ＵＭＴＳ地球無線アクセス・ネットワーク
【図面の簡単な説明】
【００４１】
【図１】ＵＭＴＳおよびＧＰＲＳネットワークを示す図である。
【図２】モバイル・ユーザ端末から存在の報告を受け取るためのタイマの調節を示す図である。
【図３】ＵＭＴＳネットワークの無線ネットワーク・コントローラ（ＲＮＣ）のある機能を示す図である。
【図１】
2004336760.tif 000003
【図２】
2004336760.tif 000004
【図３】
2004336760.tif 000005